(57)【要約】【課題】  開始時を任意に設定することができ、しかも、複数の人が所定の時間までの残り時間または経過時間を瞬間的に感得することができるアナログ式時間表示装置を提供する。【解決手段】  アナログ式経過時間表示装置は、個人に割り当てられた指標３と、この指標３を着脱自在に載置して回転する回転板２と、この回転板２を所定時間で回転させるアナログ時計ムーブメント６とを備え、指標３を回転板２に載置した位置を起点として、回転板２が１周して指標３が再び当初の載置位置に至ったことにより所定の経過時間を表示する。【選択図】図１
2014089169.tif 000002
【特許請求の範囲】
【請求項１】
個人に割り当てられた指標と、この指標を着脱自在に載置して回転する回転板と、この回転板を所定時間で回転させるアナログ時計ムーブメントとを備え、
前記指標を前記回転板に載置した位置を起点として、前記回転板が１周して前記指標が再び当初の載置位置に至ったことにより所定の経過時間を表示することを特徴とするアナログ式経過時間表示装置。
【請求項２】
指標は立体形状に形成され、前記指標を回転板に載置したとき、前記回転板の横方向または斜め方向から目視可能にした請求項１に記載のアナログ式経過時間表示装置。
【請求項３】
指標を回転板に対して、永久磁石の磁力や面ファスナーによる付着力或いは嵌合等により着脱自在に固着した請求項１及び２に記載のアナログ式経過時間表示装置。
【請求項４】
アナログ時計ムーブメントの上面には、回転板よりも大きい外径に形成した固定板が設けられ、この固定板の外周側に予備の指標を載置する仮載置部を形成した請求項１に記載のアナログ式経過時間表示装置。
【請求項５】
回転板の上面には、この回転板よりも高速で回転する動作表示板を前記回転板から離間して設けた請求項１に記載のアナログ式経過時間表示装置。
【発明の詳細な説明】
【技術分野】
【０００１】  本発明は、開始から終了までの所定の経過時間を使用者に認識させるアナログ式経過時間表示装置に関する。
【背景技術】
【０００２】  一般に、作業時、調理時、運動時、治療時、或いは、会議時等において、開始から終了まで予め定めた時間までに終了させなければならない場合がある。例えば、複数の人々が集まって行う会議、或いは、講演のときには、予定の会議終了時刻までに終了させるために、一人当たりの発言時間を制限することがある。この発言の制限時間は、発言者に委ねられるか、会場に設置されている一般的な時計や、タイマーやストップウオッチ等の時刻表示を確認していた。しかし、時計の場合は、発言の開始時刻を確認するとともに、記憶しておく必要があり、通常の場合、発言者は、発言に集中するために、確認と記憶は行われないことが多々あり、必然的に会議時間が延長するといた問題があった。【０００３】  このような問題を解消するために、本出願人は、特開２０１２−８３２１８号公報（特許文献１）において、見た人が瞬間的に残り時間または経過時間を感得することができるアナログ式時間表示装置を提案した。この時間表示装置は、時刻の経過と共に相対回転する少なくとも２つの表示板である固定表示板と分表示板を有し、２つの表示板の回転比によって残り時間または経過時間を表示するように構成されている。この特許文献１によれば、２つの表示板によって残時間や経過時間の把握することができるので、タイマーやストップウオッチが有する細い針、或いは、デジタル数字を見ることなく、残時間や経過時間を確認することができる特徴がある。【０００４】  特許文献１によるアナログ式時間表示装置は、まず、固定表示板の例えば色分けした複数の領域と、分表示板の色分けした複数の領域と、秒表示板の色分けした複数の領域とを、同じ色の領域が重なり合うようにした後、分表示板と秒表示板を回転機構によって動作させ、固定表示板、分表示板及び秒表示板の同色の領域がすべて、再び重なり合うようになったときに、所定の時間が経過したことを見た目で瞬間的に感得するようにしている。また、同色の領域が重なり合っていないときは、固定表示板と分表示板の回転比により、所定時間までの残り時間または経過時間を感得することができるようにしている。
【先行技術文献】
【特許文献】
【０００５】
【特許文献１】特開２０１２−８３２１８号公報
【発明の概要】
【発明が解決しようとする課題】
【０００６】  しかしながら、特許文献１によるアナログ式時間表示装置においては、例えば、発言者が発言を開始するときに、その都度、固定表示板、分表示板及び秒表示板の色分けした領域をすべて同色にセットしなくてはならず、操作が煩雑であり、使い勝手が悪く、実用的ではなかった。【０００７】  そこで、本発明の課題は、開始時を任意に設定することができ、しかも、複数の人が所定の時間までの残り時間または経過時間を瞬間的に感得することができるアナログ式時間表示装置を提供する。
【課題を解決するための手段】
【０００８】  上記課題を解決するため、本発明によるアナログ式経過時間表示装置は、個人に割り当てられた指標と、この指標を着脱自在に載置して回転する回転板と、この回転板を所定時間で回転させるアナログ時計ムーブメントとを備え、前記指標を前記回転板に載置した位置を起点として、前記回転板が１周して前記指標が再び当初の載置位置に至ったことにより所定の経過時間を表示することを要旨としている。【０００９】  さらに、指標を立体形状に形成し、前記指標を回転板に載置したとき、前記回転板の横方向または斜め方向から目視可能にすることが望ましい。【００１０】  また、回転板に対して、指標を永久磁石の磁力や面ファスナーによる付着力或いは嵌合等により着脱自在に固着しても良い。【００１１】  さらにまた、アナログ時計ムーブメントの上面には、回転板よりも大きい外径に形成した固定板を設け、この固定板の外周側に予備の指標を載置するようにしても良い。【００１２】  また、回転板の上面には、この回転板よりも高速で回転する動作表示板を前記回転板から離間して設けても良い。
【発明の効果】
【００１３】  本発明のアナログ式経過時間表示装置によれば、所定時間で回転する回転板に指標を載置した位置を起点として、回転板が１周して指標が再び当初の載置位置に至ったことにより所定の経過時間を視覚的に容易に計測することができる。この視覚的な時間経過は、多数の人が集合する場合でも同様であり、各々の人が、回転板に載置された指標を目視することにより、同時に経過時間または残り時間を共有することができる。従って、例えば、会議において、発言者の発言時間が予め定められている場合、発言者個人の指標を回転板に載置したときに発言を開始し、指標が回転板上で１周したときに発言を終了させるならば、会議を定刻時間内で終了させることが可能となる。また、発言者は、視覚的に残り時間を認識することができるので、一般的に行われているような、計時担当者が終了時間の予鈴で報知することも省略できる。【００１４】  また、指標を立体形状に形成して、回転板の横方向または斜め方向から目視可能にすることにより、各々の人が同時に経過時間または残り時間を共有することが可能となる。例えば、会議室のテーブル上に経過時間表示装置を設置したときには、回転板に載置した指標を椅子に座った参加者からも容易に目視することができる。【００１５】  さらに、回転板に対して、指標を永久磁石の磁力や面ファスナーによる付着力或いは嵌合等により着脱自在に固着することにより、指標が回転板の回転力によって移動することが防止される。また、指標を回転板に対して着脱自在に固着しているので、経過時間表示装置を壁に設置することができる。【００１６】  アナログ時計ムーブメントの上面に、回転板よりも大きい外径に形成した固定板を設けることにより、固定板の外周側に個人に割り当てられた自己の指標を載置することができる。【００１７】  回転板の上面に、この回転板よりも高速で回転する動作表示板を設けることにより、回転板が低速で回転することにより、回転が認識しづらい場合であっても、経過時間表示装置の作動状態を視覚的に認識することができる。
【図面の簡単な説明】
【００１８】
【図１】本発明によるアナログ式経過時間表示装置を示す平面図である。
【図２】図１に示すアナログ式経過時間表示装置を示す断面図である。
【図３】（Ａ）（Ｂ）は、アナログ式経過時間表示装置の動作を示す説明図である。
【図４】（Ａ）（Ｂ）（Ｃ）は、指標の変形例を斜視図である。
【図５】アナログ式経過時間表示装置を壁に設置した状態を示す断面図である。
【図６】（Ａ）（Ｂ）は、指標を回転板に固着する変形例を示す断面図である。
【図７】本発明によるアナログ式経過時間表示装置の他の実施例を示す平面図である。
【発明を実施するための形態】
【００１９】  以下、図面に基いて本発明の好適な実施例について説明する。図１は、本発明によるアナログ式経過時間表示装置を示す平面図である。固定表示板１は、例えば、プラスチック板や木製板によって略星状に形成され、６個の頂部は、後述する回転板２の外形よりも突出させている。固定表示板１の頂部には、後述する指標３を載置可能にしている。
【００２０】  固定表示板１の裏面には、図２に示すように、アナログ時計用のムーブメント６が配設され、固定表示板１に穿設された透孔１ａから、回転軸７を表面側に突出させている。回転軸７は、２重構造となっていて、外側の筒状軸が一般の時計における分針駆動用の軸に相当し、内側の軸が一般の時計における秒針駆動用の軸に相当する。ムーブメント６の構成としては、一般に周知の時計用の構成と同様であり、詳細な説明は省略するが、周知の時計と相違する点は、外側の筒状軸が、例えば３分、５分、１０分等の予め設定された所定の時間で１周するように設定されていることである。また、内側の軸については、周知の時計と同様に１分で１周するように設定しても良いが、これに限らず、少なくとも外側の筒状軸よりも高速で回転するように設定されている。
【００２１】  固定表示板１の表面には、図２に示すように、回転板２が回転軸７の外側の筒状軸の上端に固定されている。回転板２は、例えば、プラスチック板や木製板によって形成されている。回転板２の上面は、例えば６分割するために、区分線または異なる色によって区分されている。なお、回転板２の上面には、布や紙等のシートを貼付しても良く、これらシートによって区分しても良い。また、ムーブメント６の内側の軸には、動作表示板４が設けられ、回転板２よりも高速で回転するようにしている。そして、回転板２の上面には、指標３が着脱自在に載置される。
【００２２】  図１、図２に示す指標３は、略円柱状の立体形状に形成され、上面には、イラストや図形が描かれている。これは、個人に割り当てられた指標であることを容易に識別するためである。このように、指標３を立体形状に形成することにより、回転板の横方向または斜め方向から目視することができ、例えば、会議室のテーブル上に経過時間表示装置を設置した場合にも指標３の位置を目視可能にするためである。図１に示すアナログ式経過時間表示装置のように、固定表示板１及び回転板２が水平状態の場合には、指標３を載置するだけで良く、指標３が不要になったときは、回転板２の上面から離脱すれば良い。
【００２３】  次に、本発明によるアナログ式経過時間表示装置の動作を図３により説明する。複数の参加者を集めて会議を行う場合を想定して説明する。発言者Ｈが報告や意見、或いはプレゼンテーションを行うための、発言時間は、会議の円滑な進行、及び、会議終了時刻を厳守する場合には予め定められている。このとき、図３（Ａ）に示すように、発言者Ｈまたは進行役の人が、経過時間表示装置の回転している回転板２の上に、その発言者割り当てられた指標３を載置する。この載置位置は、例えば、発言者Ｈの前など、予め定めたスタート地点が望ましい。回転板２が例えば３分で１周するように設定されていた場合、指標３は３分間で１周して、図２（Ｂ）の点線で示すスタート地点に戻る。このスタート地点に戻った時点が、発言の終了時間であり、発言者Ｈは速やかに発言を終了させなければならないことが、指標３の位置を視覚的に認識することにより認識される。また、回転板２の指標３が、図２（Ｂ）に示すようなスタート地点の前であった場合は、視覚的に残り時間を認識することができる。このような、回転板２の指標３の位置は、会議に参加している複数の参加者にも視覚的に認識させることができ、残り時間や終了時間を全員で共有することができる。
【００２４】  なお、上述した動作の説明は、会議を例としたが、健康診断における被採血者の止血時間を計測する場合、サウナ風呂での入室時間を計測する場合、試験問題を解くための時間管理、等々、定められた所定の時間を計測または管理する場合において、広範囲に用途に使用することができる。
【００２５】  図４は、（Ａ）（Ｂ）（Ｃ）は、指標３の変形例を示している。前述したように、立体形状に形成し、回転板２の横方向または斜め方向からも目視可能にすることが望ましい。そのため、指標３の形状としては、図４（Ａ）のような多角形の錐状、図４（Ｂ）のような多角形の柱状、或いは、犬などの動物や植物または人形等の立体的なキャラクターにしても良い。
【００２６】  図５は、本発明によるアナログ式経過時間表示装置を壁８に設置した例を示している。なお、図１図２と同符号は同部品を示し、その詳細な説明は省略する。図５に示す経過時間表示装置は、直立した壁８に設置しているので、回転板２も垂直になっている。このため、指標３が回転板２から落下しないように、回転板２に対して、指標３を着脱自在に固着するようにしている。図５に示す例においては、回転板２の表面側に、肉薄な鉄板等の磁性体の板１０を貼設する一方、指標３には、永久磁石１１が埋設されている。これにより、指標３は、回転板２の板１０に磁力により吸着して固着する。指標３を回転板２に載置する場合は、指標３を回転板２の任意の位置に磁力によって吸着させ、指標３を離脱する場合は、指標３を回転板２から離間させれば良い。
【００２７】  図６（Ａ）（Ｂ）は、経過時間表示装置を直立した壁８に設置する場合における回転板２に対して指標３を着脱自在に固着する手段の変形例を示している。図６（Ａ）は、面ファスナーによる付着力を利用した例であり、例えば球状に形成した指標３の表面には、ループ状に密集して起毛された側を形成し、回転板２の表面には、フック状に起毛された側を形成し、これらを接合することにより、着脱自在に固着させている。なお、面ファスナーとしては、フックとループの両方が植え込まれているものもあり、上記以外の面ファスナーも適宜使用しても良い。また、図６（Ａ）は、指標３を載置する面に弾性変形可能な突起３ａを設ける一方、回転板２には、突起３ａを軽圧入的に嵌合可能な小孔２ａを適宜の複数の位置に形成している。そして、指標３を回転板２に形成したスタート位置の小孔２ａに嵌合することにより固着される。また、指標３を回転板２から離脱する場合は、指標３の突起３ａを回転板２の小孔２ａから引き抜けば良い。
【００２８】  図７は、本発明によるアナログ式経過時間表示装置の変形例を示し、固定表示板１を円板状に形成した例である。固定表示板１は、図１に示した実施例と同様に、外径寸法を回転板２の外形よりも大きく形成して指標３を載置可能にしている。また、高速で回転する動作表示板４も円形ではなく、星形に形成している。さらに、指標３の形状としても、多様な形状に形成している。
【００２９】  以上、本発明を実施例に基づき具体的に説明したが、本発明は上記実施例に限定されるものではなく、その要旨を逸脱しない範囲で種々変形可能であることは言うまでもない。例えば、上述した実施例においては、回転板が１周する時間を３分とした例を示したが、一般の作業、調理、待機、運動、治療等を行うときの開始から終了まで予め定められた時間に応じて変更しても良い。また、固定表示板や回転板を平板状に形成したが、略皿状に形成する等、立体的に構成しても良い。
【産業上の利用可能性】
【００３０】  本発明は、種々の経過時間を多数の人が認識するための経過時間表示装置に適用可能である。
【符号の説明】
【００３１】１  固定表示板
２  回転板
３  指標
４  動作表示板
６  ムーブメント
Ｈ  発言者
【図１】
2014089169.tif 000003
【図２】
2014089169.tif 000004
【図３】
2014089169.tif 000005
【図４】
2014089169.tif 000006
【図５】
2014089169.tif 000007
【図６】
2014089169.tif 000008
【図７】
2014089169.tif 000009